(57)【要約】【課題】  任意の分光分布を有する光線を照射する第一の光源と、第一の光源が照射する光線の分光分布と異なる分光分布を有する光線を照射する第二の光源と、が配置される照明器具であって、開口面における光ムラを抑制することができる照明器具及びこれを用いた照明システムを提供する。【解決手段】  照明器具１は、灯体２の内部から外部に向かって光線を照射する開口面３を有し、任意の分光分布を有する光線を照射する第一の光源４ａ、４ｂ、４ｃ、４ｄ、４ｅと、第一の光源４ａ、４ｂ、４ｃ、４ｄ、４ｅが照射する光線の分光分布と異なる分光分布を有する光線を照射する第二の光源５ａ、５ｂ、５ｃ、５ｄと、が配置される照明器具１であって、第一の光源４ａ、４ｂ、４ｃ、４ｄ、４ｅは、開口面３の中央域に対向して配置され、第二の光源５ａ、５ｂ、５ｃ、５ｄは、開口面３の周辺域に対向して配置される。【選択図】図１
2006294480.tif 000002
【特許請求の範囲】
【請求項１】
灯体の内部から外部に向かって光線を照射する開口面を有し、任意の分光分布を有する光線を照射する第一の光源と、第一の光源が照射する光線の分光分布と異なる分光分布を有する光線を照射する第二の光源と、が配置される照明器具であって、第一の光源は、開口面の中央域に対向して配置され、第二の光源は、開口面の周辺域に対向して配置されることを特徴とする照明器具。
【請求項２】
開口面の近傍に拡散パネルが備えられており、拡散パネルは、第二の光源の直下にある第一の部分と、第一の部分よりも照明器具の内部に窪んでなる第二の部分と、を有するものであることを特徴とする請求項１に記載の照明器具。
【請求項３】
拡散パネルが曲面で構成されたことを特徴とする請求項２に記載の照明器具。
【請求項４】
第二の光源が配置される反射板が備えられており、反射板に設けられた光源支持面が開口面の中央域の方向に臨むように傾斜していることを特徴とする請求項１から請求項３のいずれかに記載の照明器具。
【請求項５】
第二の光源が、波長可変フィルタを備えたものであることを特徴とする請求項１から請求項４のいずれかに記載の照明器具。
【請求項６】
時刻を知るための計時手段と、起床希望時刻又は就眠希望時刻を設定するための設定手段と、低照度光と中照度光と高照度光の少なくとも３種の照度の光を発生する光発生手段と、設定された起床希望時刻又は就眠希望時刻に応じて光発生手段を動作させて光発生手段が発生する光の照度を変化させる制御手段とを備えた照明システムであって、光発生手段が請求項１から請求項５のいずれかに記載の照明器具を用いたことを特徴とする照明システム。
【発明の詳細な説明】
【技術分野】
【０００１】
本発明は、灯体の内部から外部に向かって光線を照射する開口面を有し、任意の分光分布を有する光線を照射する第一の光源と、第一の光源が照射する光線の分光分布と異なる分光分布を有する光線を照射する第二の光源と、が配置される照明器具及びこれを用いた照明システムに関するものである。
【背景技術】
【０００２】
従来から、灯体の内部から外部に向かって光線を照射する開口面を有し、複数種の光源と、が配置される照明器具及びこれを用いた照明システムとして特開平０７−６５９６３号公報（特許文献１）が知られている。これは照明光が人間の生体リズムに与える悪影響を軽減することを目的として、赤、青、緑、白色の４色の蛍光灯を組合せることで照明器具及び照明システムを構成し、各種の蛍光灯を調色することにより、照明光を自然光に近い色温度とする技術に関するものである。
【特許文献１】特開平０７−６５９６３号公報
【発明の開示】
【発明が解決しようとする課題】
【０００３】
しかしながら、一般に、複数種の光源が配置される照明器具においては、通常、複数種の光源が不規則に配置されるものであったため、一種の光線のみを照射すると、隣接する他の光源の影響、特に光源の外表面に設けられた波長可変フィルタによる反射、透過、又はこれらの相乗効果等により、開口面に光ムラが見られる可能性がある。特に居住者に快適な照明環境及び睡眠環境を提供するために、任意の分光分布を有する光線を照射する第一の光源と、第一の光源が照射する光線の分光分布と異なるものである、睡眠を妨害するとされる特定波長を除去した分光分布を有する光線を照射する第二の光源と、が配置される照明器具においては、いずれか一種の光線のみを照射することが行われるので、第一の光源と第二の光源が不規則に配置されると、同様に開口面に光ムラが見られる可能性がある。
【０００４】
本願発明は、上記背景技術に鑑みてなされたものであり、その課題は、任意の分光分布を有する光線を照射する第一の光源と、第一の光源が照射する光線の分光分布と異なる分光分布を有する光線を照射する第二の光源と、が配置される照明器具であって、開口面における光ムラを抑制することができる照明器具及びこれを用いた照明システムを提供することである。
【課題を解決するための手段】
【０００５】
上記課題を解決するために、本願発明は、灯体の内部から外部に向かって光線を照射する開口面を有し、任意の分光分布を有する光線を照射する第一の光源と、第一の光源が照射する光線の分光分布と異なる分光分布を有する光線を照射する第二の光源と、が配置される照明器具であって、第一の光源は、開口面の中央域に対向して配置され、第二の光源は、開口面の周辺域に対向して配置されることを特徴とする照明器具である。
【０００６】
また本願発明は、開口面の近傍に拡散パネルが備えられており、拡散パネルは、第二の光源の直下にある第一の部分と、第一の部分よりも照明器具の内部に窪んでなる第二の部分と、を有するものであることを特徴とする。
【０００７】
また本願発明は、拡散パネルが曲面で構成されたことを特徴とする。
【０００８】
また本願発明は、第二の光源が配置される反射板が備えられており、反射板に設けられた光源支持面が開口面の中央域の方向に臨むように傾斜していることを特徴とする。
【０００９】
また本願発明は、第二の光源が、波長可変フィルタを備えたものであることを特徴とする。
【００１０】
さらに本願発明は、時刻を知るための計時手段と、起床希望時刻又は就眠希望時刻を設定するための設定手段と、低照度光と中照度光と高照度光の少なくとも３種の照度の光を発生する光発生手段と、設定された起床希望時刻又は就眠希望時刻に応じて光発生手段を動作させて光発生手段が発生する光の照度を変化させる制御手段とを備えた照明システムであって、光発生手段が本願発明に記載の照明器具を用いたことを特徴とする照明システムである。
【００１１】
ここで、分光分布とは、光を分光し、各波長のエネルギーの相対値と波長の関係を表したもので、各波長のエネルギーが、それぞれどれほど含まれているかを表したものをいう。
【００１２】
また、開口面の中央域とは、開口面全域の中で、略中央に位置する領域をいい、開口面の周辺域とは、中央域の周囲に位置する領域をいう。両者は相対的な位置関係を規定するもので、各領域の形状、面積等を規定するものではない。各領域の形状、面積等は、照明器具の形状や照度等の要求物性によって決定される。
【発明の効果】
【００１３】
本願発明によれば、任意の分光分布を有する光線を照射する第一の光源と、第一の光源が照射する光線の分光分布と異なる分光分布を有する光線を照射する第二の光源と、を区分けして配置したので、一方の光源が光線を照射する場合に、隣接する他の光源の影響が少なく、開口面における光ムラを抑制できる。
【００１４】
また本願発明によれば、開口面に備えられた拡散パネルに、第二の光源の直下にある第一の部分よりも照明器具の内に窪んでなる第二の部分を設けているので、拡散パネルとして平面パネルを用いた場合に比べ、第二の光源から拡散パネルの周辺域（第二の光源の直下）までの距離と、第二の光源から拡散パネルの中央域まで距離と、の差を抑制できるため、当該距離の差に基づく輝度ばらつきが小さくなり、第二の光源に基づく光ムラを抑制できる。
【００１５】
また本願発明によれば、拡散パネルが曲面で構成されているので、意匠性良く、ホコリもたまりにくい。
【００１６】
また本願発明によれば、第二の光源が配置される光源支持面が、開口面の中央域の方向に臨むように傾斜したものであるので、第二の光源と拡散パネルとの距離の差がより小さくなり、第二の光源に基づく光ムラをよりよく抑制できる。
【００１７】
また本願発明によれば、第二の光源が、波長可変フィルタを備えたものであるので、光源の波長調節が波長可変フィルタを交換することでできるので、メンテナンスが容易となる。
【００１８】
さらに本願発明によれば、設定された起床希望時刻又は就眠希望時刻に応じて光発生手段を動作させて光発生手段が発生する光の照度変化させる照明制御を採用しているので、開口面における光ムラを抑制しつつ居住者に快適な照明環境及び睡眠環境を提供することができる。
【発明を実施するための最良の形態】
【００１９】
本願発明の第一実施形態として、本願の請求項１から請求項５に対応した照明器具１について図１、図２及び図３により説明する。
【００２０】
本第一実施形態の照明器具１は、灯体２の内部から外部に向かって光線を照射する開口面３を有し、任意の分光分布を有する光線を照射する第一の光源４ａ、４ｂ、４ｃ、４ｄ、４ｅと、第一の光源４ａ、４ｂ、４ｃ、４ｄ、４ｅが照射する光線の分光分布と異なる分光分布を有する光線を照射する第二の光源５ａ、５ｂ、５ｃ、５ｄと、が配置される照明器具１であって、第一の光源４ａ、４ｂ、４ｃ、４ｄ、４ｅは、開口面３の中央域に対向して配置され、第二の光源５ａ、５ｂ、５ｃ、５ｄは、開口面３の周辺域に対向して配置される。
【００２１】
また、開口面３に拡散パネル６が備えられており、拡散パネル６は、第二の光源５ａ、５ｂ、５ｃ、５ｄの直下にある第一の部分６ａと、第一の部分６ａよりも照明器具１の内部に窪んでなる第二の部分６ｂと、を有し、さらに拡散パネル６が曲面で構成されている。
【００２２】
また、第二の光源５ａ、５ｂ、５ｃ、５ｄが配置される反射板８が備えられており、反射板８に設けられた光源支持面９が開口面３の中央域の方向に臨むように傾斜している。
【００２３】
さらに、第二の光源５ａ、５ｂ、５ｃ、５ｄが、波長可変フィルタ７ａ、７ｂを備えたものである。
【００２４】
以下、本第一実施形態による照明器具１を、より具体的詳細に説明する。
【００２５】
最初に、灯体２であるが、これは薄肉長方形状の鋼板を組合せたものであり、上底面２ａと、上側面の四辺より垂設される側面２ｂ、２ｃ、２ｄ、２ｅと、で構成される。また、開口面３は、上底面２ａと対向し、側面２ｂ、２ｃ、２ｄ、２ｅの下端辺を四辺とする面である。
【００２６】
次いで、反射板８であるが、これは薄肉長方形状の鋼板の長辺端部を折り曲げ加工したもので、第一の光源４ａ、４ｂ、４ｃ、４ｄ、４ｅ、及び第二の光源５ａ、５ｂ、５ｃ、５ｄを支持する光源支持部（図示しない）が設けられており、支持された第一の光源４ａ、４ｂ、４ｃ、４ｄ、４ｅ又は第二の光源５ａ、５ｂ、５ｃ、５ｄからの光線を開口面３に反射することで、灯体２の内部から外部に向かって光線を照射するようになしたものである。
【００２７】
ここで反射板８は、灯体２の内部に設置された安定器（図示しない）と接続するように灯体２の内部に取り付けられ、安定器（図示しない）からの電力を光源支持部（図示しない）を通じて第一の光源４ａ、４ｂ、４ｃ、４ｄ、４ｅ又は第二の光源５ａ、５ｂ、５ｃ、５ｄに供給する。本第一実施形態においては、光源支持面９は反射板８のうち、第一の光源４ａ、４ｂ、４ｃ、４ｄ、４ｅ、又は第二の光源５ａ、５ｂ、５ｃ、５ｄに臨む面をいうが、反射板８と別体に面状部材を設けることとしてもよい。例えば、反射板８の長辺端部を折り曲げ加工することなく、別体の面状部材である光源支持面９のみを開口面３の中央域の方向に臨むように傾斜することとしてもよい。この場合、光源支持部（図示しない）は、光源支持面９に設けられることとなる。
【００２８】
次いで、第一の光源４ａ、４ｂ、４ｃ、４ｄ、４ｅであるが、直管の白色蛍光灯であり、長手方向が、灯体２と平行になるように反射板８に設けられた光源取付部（図示しない）に支持される。また第二の光源５ａ、５ｂ、５ｃ、５ｄであるが、直管の電球色蛍光灯であり、４６５ｎｍ近辺の波長域を減衰させる波長可変フィルタ７ａ、７ｂが光源の外周に被覆されてなる。第二の光源５ａ、５ｂ、５ｃ、５ｄも、長手方向が、灯体２と平行になるように反射板８に設けられた光源取付部（図示しない）に支持される。なお、第一の光源又は第二の光源は、蛍光灯に限られず、白熱灯、発光ダイオード、有機エレクトロルミネセンス等の汎用の光源を使用することができる。また形状も直管状のものに限られず、丸管状や方形状のものであってもよい。さらに波長可変フィルタは光源の分光分布を制御するものであれば汎用のフィルタを用いることができ、睡眠を妨害するとされる特定波長を除去する点で光色可変フィルタが好ましい。本第一実施形態における第一の光源４ａ、４ｂ、４ｃ、４ｄ、４ｅの分光分布を図６に、第二の光源５ａ、５ｂ、５ｃ、５ｄの分光分布を図７に、それぞれ示す。
【００２９】
ここで、第一の光源４ａ、４ｂ、４ｃ、４ｄ、４ｅは、反射板８の略中央、すなわち開口面３の中央域に対向して配置され、第二の光源５ａ、５ｂ、５ｃ、５ｄは、反射板８の折り曲げ加工付近、すなわち開口面３の周辺域に対向して配置される。なお光源の形状が丸管状や方形状のものである場合は、反射板の外縁部が折り曲げ加工され、この付近に第二の光源が配置され、その内部に第一の光源が配置されることとなる。
【００３０】
次いで、拡散パネル６であるが、乳白色の透光性プラスチックであり、長手方向断面が円弧状に窪んでなるものである。拡散パネル６は長手辺が、灯体２の側面２ｂ、２ｄの下端辺付近に、円弧状の短手辺が、灯体２の側面２ｃ、２ｅの内面に、それぞれ接触するように取り付けられる。
【００３１】
ここで拡散パネル６と、第二の光源５ａ、５ｂ、５ｃ、５ｄとの位置関係については、図３に示すごとく、第二の光源５ａ、５ｂ、５ｃ、５ｄから拡散パネル６の周辺域（第二の光源の直下）までの距離と、第二の光源５ａ、５ｂ、５ｃ、５ｄから拡散パネル６の中央域まで距離と、の差は、従来例である図４に記載のものよりも抑制される。また第二の光源５ａ、５ｂ、５ｃ、５ｄが配置される反射板８が、開口面３の中央域の方向に臨むように傾斜したものであるので、第二の光源５ａ、５ｂ、５ｃ、５ｄと拡散パネル６との距離の差がより小さくなる。
【００３２】
従って、本第一実施形態によれば、任意の分光分布を有する光線を照射する第一の光源４ａ、４ｂ、４ｃ、４ｄ、４ｅと、第一の光源が照射する光線の分光分布と異なる分光分布を有する光線を照射する第二の光源５ａ、５ｂ、５ｃ、５ｄと、を中央域と周辺域とに区分けして配置したので、一方の光源が光線を照射する場合に、隣接する他の光源の影響が少なく、開口面３における光ムラを抑制できる。
【００３３】
また、開口面３の近傍に備えられた拡散パネル６に、第二の光源５ａ、５ｂ、５ｃ、５ｄの直下にある第一の部分よりも照明器具１の内に窪んでなる第二の部分を設けているので、拡散パネル６として平面パネルを用いた場合に比べ、第二の光源５ａ、５ｂ、５ｃ、５ｄから拡散パネル６の周辺域（第二の光源の直下）までの距離と、第二の光源５ａ、５ｂ、５ｃ、５ｄから拡散パネル６の中央域まで距離と、の差を抑制できるため、当該距離の差に基づく輝度ばらつきが小さくなり、第二の光源５ａ、５ｂ、５ｃ、５ｄに基づく光ムラを抑制できる。特に第二の光源５ａ、５ｂ、５ｃ、５ｄを使用する就眠前の時間帯に光ムラのない快適な照明環境を提供することができる。
【００３４】
また、拡散パネル６が曲面で構成されているので、意匠性良く、ホコリもたまりにくい。
【００３５】
また、第二の光源５ａ、５ｂ、５ｃ、５ｄが配置される光源支持面９が、開口面３の中央域の方向に臨むように傾斜したものであるので、第二の光源５ａ、５ｂ、５ｃ、５ｄと拡散パネル６との距離の差がより小さくなり、第二の光源５ａ、５ｂ、５ｃ、５ｄに基づく光ムラをよりよく抑制できる。特に第二の光源５ａ、５ｂ、５ｃ、５ｄを使用する就眠前の時間帯に光ムラのない快適な照明環境を提供することができる。
【００３６】
また、第二の光源５ａ、５ｂ、５ｃ、５ｄが、波長可変フィルタ７ａ、７ｂを備えたものであるので、光源の波長調節が波長可変フィルタ７ａ、７ｂを交換することでできるので、メンテナンスが容易となる。
【００３７】
続いて、本願発明の第二実施形態として、本願の請求項６に対応した照明システム１４について図５により説明する。
【００３８】
本第二実施形態の照明システム１４は、時刻を知るための計時手段１０と、起床希望時刻又は就眠希望時刻を設定するための設定手段１１と、低照度光と中照度光と高照度光の少なくとも３種の照度の光を発生する光発生手段１２と、設定された起床希望時刻又は就眠希望時刻に応じて光発生手段１２を動作させて光発生手段１２が発生する光の照度を変化させる制御手段１３とを備えた照明システム１４であって、光発生手段１２が上記第一実施形態に記載の照明器具１を用いたことを特徴とする。
【００３９】
以下、本第二実施形態による照明システム１４を、より具体的詳細に説明するが、照明器具１は第一実施形態と同じであるので省略する。
【００４０】
最初に、計時手段１０であるが、汎用のタイマが使用される。デジタル式であってもアナログ式であっても構わない。設定手段１１も、汎用の入力装置が使用される。光発生手段１２は、上記第一実施形態に記載の照明器具１である。
【００４１】
また制御手段１３は、各調光シーンの制御パターンを記憶し、居住者の操作又は設定したタイムスケジュールに従って第一の光源４ａ、４ｂ、４ｃ、４ｄ、４ｅ及び第二の光源５ａ、５ｂ、５ｃ、５ｄの光出力を調光シーンの制御パターンに従って制御するものである。
【００４２】
次に、本第二実施形態による照明システム１４の動作として就眠中の居住者を快適に覚醒させるための制御パターンについて説明する。
【００４３】
まず、設定手段１１によって設定された起床設定時刻の３０分前の時点を計時手段１０が検知すると、制御手段１３は、照明器具１の第一の光源４ｃを光出力最下限レベルで点灯させ、その後光出力を漸増させる。次いで第一の光源４ｃが１００％点灯になると同時に第一の光源４ａ、４ｂ、４ｃ、４ｄ、４ｅを光出力最下限レベルで点灯させ、その後光出力を漸増させる。設定手段１１によって設定された起床設定時刻を計時手段１０が検知すると、第一の光源４ａ、４ｂ、４ｃ、４ｄ、４ｅが１００％点灯になる。
【００４４】
次に、本第二実施形態による照明システム１４の動作として覚醒中の居住者を快適に就眠させるための制御パターンについて説明する。
【００４５】
まず、第一の光源４ａ、４ｂ、４ｃ、４ｄ、４ｅが１００％点灯されていた状態で、設定手段１１によって設定された就眠設定時刻の３０分前の時点を計時手段１０が検知すると、制御手段１３は、第二の光源５ａ、５ｂ、５ｃ、５ｄを１００％点灯させる。さらに、制御手段１３は、第二の光源５ａ、５ｂ、５ｃ、５ｄの光出力を漸減させ、光出力最下限レベルとなると同時に第二の光源５ａ、５ｃを１００％点灯させる。さらに第二の光源５ａ、５ｃの光出力を漸減させ、光出力最下限レベルとする。
【００４６】
従って、本第二実施形態によれば、上述のような制御パターンが可能となり、点灯開始時の光によって居住者に急激な覚醒刺激を与えずに済み、光出力を快起のための調光カーブにしたがって調光することが可能となる。また、就眠時にも睡眠を妨害するとされる特定波長を除去した光線による、快眠のための調光が可能になる。しかも、就眠時において開口面に光ムラが抑制しつつ居住者に快適な照明環境及び睡眠環境を提供することができる。
【００４７】
なお、以上に示した第一実施形態及び第二実施形態においては、第一の光源は、開口面の中央域に対向して配置され、第二の光源は、開口面の周辺域に対向して配置されるが、この構成に加えて、さらに補助的に第一の光源が、開口面の周辺域に対向して配置されるものも本発明の範疇である。この場合、第一の光源の物性、数量、形状、配置箇所等は、照度等の要求物性を満たし、かつ光ムラが生じないように、設計、配置されるが、光ムラを抑制する点からは必要最小限のものを使用することが好ましい。
【図面の簡単な説明】
【００４８】
【図１】本願発明の照明器具の展開斜視図
【図２】本願発明の照明器具の縦断面図
【図３】本願発明の照明器具の縦断面の部分拡大図
【図４】従来の照明器具の縦断面の部分拡大図
【図５】本願発明の照明システムのブロック図
【図６】第一の光源の分光分布図
【図７】第二の光源の分光分布図
【符号の説明】
【００４９】
１      照明器具
２      灯体
３      開口面
４ａ    第一の光源
４ｂ    第一の光源
４ｃ    第一の光源
４ｄ    第一の光源
４ｅ    第一の光源
５ａ    第二の光源
５ｂ    第二の光源
５ｃ    第二の光源
５ｄ    第二の光源
６      拡散パネル
６ａ    第一の部分
６ｂ    第二の部分
７ａ    波長可変フィルタ
７ｂ    波長可変フィルタ
８      反射板
９      光源支持面
１０      計時手段
１１      設定手段
１２      光発生手段
１３      制御手段
１４      照明システム
【図１】
2006294480.tif 000003
【図２】
2006294480.tif 000004
【図３】
2006294480.tif 000005
【図４】
2006294480.tif 000006
【図５】
2006294480.tif 000007
【図６】
2006294480.tif 000008
【図７】
2006294480.tif 000009